(57)【特許請求の範囲】
【請求項１】
建物の勾配屋根面の開口部に設けられるとともに、前記勾配屋根の下方に設けられた小屋裏居室に連通するルーフバルコニにおいて、
バルコニ床体を備えて構成され、このバルコニ床体の一端は前記小屋裏側に位置し、前記バルコニ床体の他端は前記勾配屋根表面より水平方向外側に突出していて、
この突出部分は、その下方に支持部のない片持ち状となっていることを特徴とする建物のルーフバルコニ。
【請求項２】
請求項ｌに記載の建物のルーフバルコニにおいて、前記バルコニ床体は、枠部材を枠組みして形成された枠体に前記小屋裏側から前記突出側に向けて複数本の根太を配置した床パネルで形成されていることを特徴とする建物のルーフバルコニ。
【請求項３】
請求項１または２に記載の建物のルーフバルコニにおいて、
前記小屋裏側から突出側への方向に対して直交する方向における前記バルコニ床体の前記突出部分の端縁長さは、前記小屋裏側から突出側への方向に対して直交する方向における前記バルコニ床体の前記小屋裏居室側の床部の端縁長さより、長く形成されていることを特徴とする建物のルーフバルコニ。
【請求項４】
請求項ｌ〜３のいずれかに記載の建物のルーフバルコニにおいて、前記バルコニ床体の前記勾配屋根表面からの突出部分外周には非面材部材を含み形成される手摺りが設けられていることを特徴とする建物のルーフバルコニ。
【請求項５】
請求項１〜４のいずれかに記載の建物のルーフバルコニにおいて、前記バルコニ床体は、前記室内部側の床面材と、突出部側の床面材とを備え、これらの床面材は、前記バルコニ床体に設けられるとともに当該バルコニ床体と交差する屋根開口部の軒先側縁部に沿った排水溝に向けて傾斜が低くなる勾配に配置されていることを特徴とする建物のルーフバルコニ。
【発明の詳細な説明】
【０００１】
【発明の属する技術分野】
本発明は、建物の勾配屋根面の開口部に設けられるとともに、小屋裏居室に連通するルーフバルコニに関する。
【０００２】
【背景技術】
近年、敷地の有効活用や二世帯用として使用する等の理由で、３階建住宅が増加している。それとともに、建築基準法の制限や、地域の近隣住宅への配慮から、３階部分を勾配屋根の小屋裏に設ける、いわゆる小屋裏３階建住宅の比率も高くなってきている（特開平１０ー１６９１１４号公報）。
【０００３】
【発明が解決しようとする課題】
ところで、小屋裏を居室とした場合、屋根が覆い被さる勾配天井の居室となるため採光が困難となる。そのため、ドーマやトップライトを利用して採光面積を増やしたり、勾配屋根にバルコニを設けて形成されたルーフバルコニを作り、居住環境を改善しようとの試みがなされている。しかし、思うような広さのバルコニを作ることができず、閉鎖的な空間を根本的に改善するまでには至っておらず、広がりのある、かつ、採光が充分となる小屋裏居室空間が求められている。
【０００４】
本発明の目的は、広がりがあって開放感を得ることができ、かつ、小屋裏居室の採光が充分となる建物のルーフバルコニを提供することにある。
【０００５】
【課題を解決するための手段】
本発明の請求項１に記載の建物のルーフバルコニは、図面を参照して説明すると、図１，３に示すように、建物の勾配屋根面１６の開口部１６Ａに設けられるとともに、勾配屋根１６の下方に設けられた小屋裏居室１５に連通するルーフバルコニにおいて、バルコニ床体２を備えて構成され、このバルコニ床体２の一端は小屋裏１５側に位置し、バルコニ床体２の他端は勾配屋根１６表面より水平方向外側に突出していて、この突出部分２Ｂは、その下方に支持部のない片持ち状となっていることを特徴とするものである。
【０００６】
以上において、バルコニ床体の一端から他端までの寸法は限定されないが、勾配屋根とバルコニ床体との交差する位置からバルコニ床体の一端までの寸法の方が、交差位置からバルコニ床体の他端までの寸法より長い方が好ましいが、小屋裏居室をより広く得るために、バルコニ床体の他端までの寸法を長くしてもよい。また、勾配屋根表面より水平方向外側に突出している部分の形状は、小屋裏居室側の床部と同じ幅寸法でそのまま突出させてもよく、あるいは、小屋裏居室側の床部の幅寸法よりも突出している部分の幅寸法を大きくしてもよい。この場合、突出部の形状は、四角形状、半円形状あるいは多角形状等、どのような形状でもよい。また、バルコニ床体の上面には、突出側先端に向けて下る傾斜の水勾配が設けられていることが好ましい。
【０００７】
このような本発明では、バルコニ床体の他端が、勾配屋根表面より水平方向外側に突出しているので、小屋裏居室側の部分と合わせると、勾配屋根の開口部に設けられたルーフバルコニでも、広い床面を得ることができる。また、バルコニ床体の一部が勾配屋根表面の外側に設けられているので、開放感がある。さらに、ルーフバルコニから採光を得ることができるので、小屋裏居室空間の採光が充分となる。
【０００８】
本発明の請求項２に記載の建物のルーフバルコニは、図４に示すように、請求項ｌに記載の建物のルーフバルコニにおいて、バルコニ床体２は、枠部材を枠組みして形成された枠体３に小屋裏１５側から突出側に向けて複数本の根太４を配置した床パネルで形成されていることを特徴とするものである。
【０００９】
このような本発明では、バルコニ床体を予め工場等で製作することができ、現場で取り付けるだけでよいので、現場作業が少なくてすむ。また、広いオーバハングの床面を得ることができるとともに、突出部の支持部材が不要となるので、その分の部材や製作の手間および取付の手間を省くことができ、工期の短縮を図ることができる。
【００１０】
本発明の請求項３に記載の建物のルーフバルコニは、図５，６に示すように、請求項１または２に記載の建物のルーフバルコニにおいて、小屋裏１５側から突出側への方向に対して直交する方向におけるバルコニ床体３２の突出部分３２Ｂの端縁長さは、小屋裏１５側から突出側への方向に対して直交する方向におけるバルコニ床体３２の小屋裏居室１５側の床部３２Ａの端縁長さより、長く形成されていることを特徴とするものである。
【００１１】
以上において、突出部分の端縁長さは、小屋裏居室側の床部の端縁長さより長ければよく、小屋裏居室側の床部の端縁において、端縁の両側に延びて長くなった形状の平面視凸状に形成されていることが好ましいが、それに限定されない。このような平面視凸状片側の出っ張りを取り除いた形状、つまり、端縁の片側に延びて長くなった平面視Ｌ状に形成されていてもよい。
【００１２】
このような本発明では、バルコニ床体の突出部分が、小屋裏居室側より横方向に広がっているので、小屋裏室内側から外を見たとき、開放感のあるルーフバルコニとすることができる。
【００１３】
本発明の請求項４に記載の建物のルーフバルコニは、図４に示すように、請求項ｌ〜３のいずれかに記載の建物のルーフバルコニにおいて、バルコニ床体２の勾配屋根１６表面からの突出部分２Ｂ外周には非面材部材７Ａを含み形成される手摺り７が設けられていることを特徴とするものである。
【００１４】
以上において、手摺りは、面材を使用しないタイプであれば、どのようなものでもよい。例えば、笠木を所定間隔で配置した複数本の手摺り子で支持する手摺り、あるいは、笠木を格子状の部材（金網を含む）で支持するタイプ等であり、要するに、小屋裏居室に充分な通風を得ることができればよい。
【００１５】
このような本発明では、面材を使用しない手摺りとなっているので、ルーフバルコニの手摺りによって、採光および通風が遮られることがなく、これにより、小屋裏居室に採光および通風を効率よく得ることができ、また、隣地に手摺りによる影も作りにくい。
【００１６】
本発明の請求項５に記載の建物のルーフバルコニは、図面を参照して説明すると、図７に示すように、請求項１〜４のいずれかに記載の建物のルーフバルコニにおいて、バルコニ床体４２は、室内部４２Ａ側の床面材４５Ａと、突出部４２Ｂ側の床面材４５Ｂとを備え、これらの床面材４５Ａ，４５Ｂは、バルコニ床体４２に設けられるとともに当該バルコニ床体４２と交差する屋根開口部１６Ａの軒先側縁部に沿った排水溝４７に向けて傾斜が低くなる勾配に配置されているこことを特徴とするものである。
【００１７】
このような本発明では、ルーフバルコニ上面に溜まる雨等による水は、排水溝に向かって流れ、そこから屋根面に排水できるので、排水処理が容易であるとともに、ルーフバルコニ上面に水が溜まることがない。
【００１８】
【発明の実施の形態】
以下に、本発明の実施形態を図面に基づいて説明する。
図１に示すように、本発明の第１実施形態に係るルーフバルコニ１は、ユニット式建物１０に設けられている。このユニット式建物１０は、予め工場で生産された複数の下階建物ユニット１１、上階建物ユニット１２、および上階建物ユニット１２の上方に設けられる勾配屋根１６等を、建築現場で組み合わせて建てられる。
なお、上階建物ユニット１２の上方には、勾配屋根１６で覆われるとともに、内壁１８，床面材９等で形成される小屋裏居室１５が設けられている。
【００１９】
上下階建物ユニット１２，１１は、図２に示すように、四隅に立設される４本の柱２０と、これらの柱２０の上端間同士および下端間同士を結合する各４本の上梁２１、下梁２２を含む骨組み２３を備えて形成されている。そして、このような骨組み２３には、天井面材、床面材、内壁および外壁等が適宜取り付けられ、建物ユニット１２等が完成されるようになっている。
【００２０】
図３に示すように、屋根パネル用フレーム１４は、縦横の枠部材を組み立てて四角枠に形成され、その上面に屋根パネル１３が取り付けられ、建物の勾配屋根１６が形成されている。
そして、このような屋根パネル用フレーム１４は、屋根束２４およびパネル受けブラケット２５で支持され、これらの屋根束２４およびパネル受けブラケット２５は、小屋パネル１７に取り付けられるようになっている。
【００２１】
図１に示すように、このような勾配屋根１６の一面には開口部１６Ａが形成され、この開口部１６Ａに、前記ルーフバルコニ１が設けられている。
すなわち、開口部１６Ａには、屋根面からほぼ垂直に垂らされて小屋裏居室１５の外壁２７が設けられ、この外壁２７に連続して、開口部１６Ａの両側にルーフバルコニ１用の三角形状の外壁２８が設けられている。また、外壁２７には、窓部２９が設けられ、そこからルーフバルコニ１への出入りができるようになっている。
【００２２】
図４に詳細を示すように、ルーフバルコニ１はバルコニ床体２を備え、このバルコニ床体２は、例えば、チャンネル材等で枠組みされた枠体である外枠３に、小屋裏居室１５から外側に向かって延びる複数本の根太４を所定間隔で取り付け、その上に、床面材５を載せて形成されている。
【００２３】
このようなバルコニ床体２の一端は小屋裏居室１５側に位置し、他端は屋根面と交差する部位から外側に突出している。
すなわち、バルコニ床体２は、屋根面と交差する部位から小屋裏居室１５側に位置する室内部２Ａと、屋根面と交差する部位から外側に突出する突出部２Ｂとを有し、図３に示すように、支持部材６、床受け板７を介して室内部２Ａの下面が前記小屋パネル１７に支持、固定されている。従って、突出部２Ｂは片持支持されていることになる。なお、バルコニ床体２の支持部材６への設置に際しては、支持部材６の上面から屋根パネル１３の上面にわたって防水シート８を敷くことにより、防水処理が施されている。
【００２４】
この小屋パネル１７は、上階建物ユニット１２の４本の上梁で形成される天井枠と同じ大きさに形成され、上階建物ユニット１２の上面に載置されている。
なお、支持部材６は、例えば、箱体状に形成されたものであり、小屋裏居室１５側に開閉戸を設け、その内部を収納部としてもよい。
【００２５】
また、バルコニ床体２において突出部２Ｂの外周には、所定間隔で配置された複数本の、例えば、パイプ状部材でなる手摺り子７Ａで、笠木７Ｂを支持するタイプの手摺り７が設けられている。そして、ここにおいて、バルコニ床体２、床面材５および手摺り７を含んで、前記ルーフバルコニ１が構成されている。
なお、バルコニ床体２の床面材５には、室内部２Ａ側から突出部２Ｂ側に向けて緩やかに傾斜する矢印Ｍで示す水勾配がつけられており、バルコニ床上面に溜まる水は、突出部２Ｂ先端から屋根面に排水されている。
【００２６】
このような本実施形態では、次のような効果がある。
▲１▼ルーフバルコニ１は、一端が小屋裏居室１５側に位置し、他端が屋根面１６から突出している室内部２Ａと突出部２Ｂとを有しているので、勾配屋根１６の開口部１６Ａに設けたバルコニでも、広い面積とすることができ、開放感を得ることができる上に、窓部２９が設けられているので、小屋裏居室１５採光が充分となる。
【００２７】
▲２▼ルーフバルコニ１におけるバルコニ床体２の突出部２Ｂは、片持支持となっているので、屋根面からの支持が不要となり、構造が複雑とならずにすむとともに、広いオーバーハングの床面をつくることができる。
【００２８】
▲３▼ルーフバルコニ１におけるバルコニ床体２の手摺り７は、所定間隔で配置された複数本の手摺り子７Ａで、笠木７Ｂを支持するタイプとなっているので、採光、通風を効率よく得ることができる。また、隣地に日陰を作らないので、悪影響を与えることがない。
【００２９】
次に、図５，６に基づいて、本発明の第２実施形態のルーフバルコニ３１を説明する。
この実施形態のルーフバルコニ３１は、前記第１実施形態のルーフバルコニ１が、平面視四角枠状となっていたものを、平面視凸状としたものである。
なお、この実施形態において、前記第１実施形態と同一部材および同一構造には、同一符号を付すとともに、その詳細な説明は、省略または簡略化する。
【００３０】
ルーフバルコニ３１は、バルコニ床体３２を備え、このバルコニ床体３２の突出部３２Ｂの根太３４と直交する方向の端縁長さは、小屋裏居室１５側の室内部３２Ａの根太３４と直交する方向の端縁長さより長くなっている。つまり、突出部３２Ｂは、横方向に出っ張った出張り部３２Ｃを有し、バルコニ床体３２は、全体が平面視凸状となっている。
このようなバルコニ床体３２は、図６に示すように、例えば、チャンネル材等で枠組みされた枠体である外枠３３に、室内部３２Ａから突出部３２Ｂ側に向かって延びる前記複数本の根太３４を所定間隔で取り付け、その上に、床面材３５を載せて形成されている。
【００３１】
バルコニ床体３２は、前述の図３と同じように、支持部材６等を介して室内部３２Ａの下面が小屋パネル17に支持されており、従って、突出部３２Ｂ側は片持支持されていることになる。また、バルコニ床体３２において突出部３２Ｂの外周には、前記と同様の手摺り３７が設けられている。
バルコニ床体３２には、室内部３２Ａ側から突出部３２Ｂ側に向けて緩やかに下る傾斜の水勾配Ｍが設けられており、バルコニ床上面に溜まる水は、突出部３２Ｂ先端から屋根面に排水されている。
【００３２】
このような第２実施形態においても、前記▲１▼〜▲３▼と同様の効果を得ることができる他、ルーフバルコニ３１のバルコニ床体３２が、平面視凸状となっているので、室内側から外を見たとき、より広がりをもったバルコニとすることができるという効果がある。
【００３３】
次に、図７，８に基づいて、本発明の第３実施形態のルーフバルコニ４１を説明する。
この実施形態のルーフバルコニ４１は、前記第１，２実施形態のルーフバルコニ１，３１が、バルコニ床体２，３２の室内部２Ａ，３２Ａから突出部２Ｂ、３２Ｂ先端に向けて水勾配Ｍを設け、バルコニ床体２，３２の突出部２Ｂ、３２Ｂ先端から排水していたものを、室内部と突出部との境界、つまり、屋根面の開口１６Ａの軒先側縁部に沿った部位に排水溝４７を設けたものである。
なお、この実施形態において、前記各実施形態と同一部材および同一構造には、同一符号を付すとともに、その詳細な説明は、省略または簡略化する。
【００３４】
図７示すように、ルーフバルコニ４１は、室内部４２Ａと突出部４２Ｂとを有するバルコニ床体４２を備えている。このバルコニ床体４２は、外枠４３と根太４４とを有し、その根太４４の長手方向と直交する方向には、複数本のすべての根太４４に凹部４４Ａが形成され、この凹部４４Ａに前記排水溝４７が取り付けられるようになっている。この排水溝４７は、室内部４２Ａと突出部４２Ｂとの境界に沿って凹部４４Ａにはめ込まれた樋で構成されている。
【００３５】
このような位置に排水溝４７が設けられているので、床面材４５は、室内部４２Ａ側床面材４５Ａと突出部４２Ｂ側床面材４５Ｂとに分けられており、それぞれの床面材４５Ａ，４５Ｂが、排水溝４７に向かって緩やかに下る傾斜に設けられている。
【００３６】
すなわち、室内部４２Ａの床面材４５Ａは、バルコニ床体４２の枠体の小屋裏居室１５側端部に設けられたブラケット４６と、排水溝４７に臨む位置、かつ、根太４４の凹部４４Ａに取り付けられたブラケット４８とで支持されて設けられている。
また、突出部４２Ｂの床面材４５Ｂは、バルコニ床体４２の枠体の屋根面外側端部に設けられたブラケット４６と、排水溝４７に臨む位置、かつ、根太４４の凹部４４Ａに取り付けられたブラケット４８とで支持されて設けられている。
【００３７】
このような排水溝４７には、図８に示すように、バルコニ床体４２の幅方向一方側端部から他方側に向けて緩やかに下る傾斜の水勾配Ｍが設けられ、下り側の先端には、突出部４２Ｂの外側に開口する出口４７Ａが形成されている。従って、排水溝４７を伝わった水は、その出口４７Ａから屋根面に排出されるようになっている。
【００３８】
このような第３実施形態においても、前記▲１▼〜▲３▼と同様の効果を得ることができる他、ルーフバルコニのバルコニ床体上面に溜まる雨等による水は、排水溝に向かって流れ、そこから屋根面に排水できるので、排水処理が容易であるとともに、ルーフバルコニ上面に水が溜まることがないという効果がある。
【００３９】
なお、本発明は前記各実施形態に限定されるものではなく、本発明の目的を達成できるものであれば、次に示すような変形形態でもよいものである。
例えば、前記各実施形態において、ルーフバルコニ１等のバルコニ床体２等の突出部２Ｂ等が片持状態に支持されているが、これに限らず、例えば、図９に示すように、突出部５２Ｂの外側先端部を、例えば、屋根パネルフレーム１４に固定させた複数本の支柱５８によって支持する構造としてもよい。このようにすれば、ルーフバルコニ５１のバルコニ床体５２の強度が大きくなるので、バルコニ床体５２の構成部材を大きくしなくてもよくなり、取り扱い等が容易となる。
なお、バルコニ床体５２の支持部材６への設置に際しては、支持部材６の上面から屋根パネル１３の上面にわたって防水シート８を敷くことにより、防水処理が施されている。
【００４０】
さらに、前記第１，３実施形態では、ルーフバルコニ１，３１のバルコニ床体２，３２の突出部２Ｂ、３２Ｂを、室内部２Ａ，２Ｂに対して、幅寸法の広くなった四角形状としたが、これに限らず、図１０に示すように、室内部６２Ａに対して突出部６２Ｂを半円形状となったルーフバルコニ６としてもよい。このようにすれば、広い面積を得ることができるとともに、形状の変わったバルコニとすることができ、変化に富んだユニット式建物とすることができる。
【００４１】
【発明の効果】
以上に説明したように、本発明の建物のルーフバルコニによれば、バルコニ床体の他端が、勾配屋根表面より水平方向外側に突出しているので、小屋裏居室側の部分と合わせると、勾配屋根に設けられたルーフバルコニでも、広い床面を得ることができる。また、バルコニ床体の一部が勾配屋根表面の外側に設けられているので、開放感がある。さらに、ルーフバルコニから採光を得ることができるので、小屋裏居室空間の採光が充分となるという効果がある。
【図面の簡単な説明】
【図１】本発明に係る第１実施形態のルーフバルコニが設けられたユニット式建物を示す全体斜視図である。
【図２】前記実施形態のユニット式建物を構成する建物ユニットの骨組みを示す全体斜視図である。
【図３】前記実施形態のルーフバルコニが設けられたユニット式建物を示す縦断面図である。
【図４】前記実施形態のルーフバルコニを示す全体斜視図である。
【図５】本発明に係る第２実施形態のルーフバルコニを示す全体斜視図である。
【図６】前記実施形態のルーフバルコニを示す全体斜視図である。
【図７】本発明に係る第３実施形態のルーフバルコニを示す全体斜視図である。
【図８】前記実施形態のルーフバルコニにおける排水構造を示す部分拡大図である。
【図９】本発明に係る変形形態のルーフバルコニが設けられたユニット式建物を示す縦断面図である。
【図１０】本発明に係る他の変形形態のルーフバルコニを示す全体斜視図である。
【符号の説明】
１，３１，４１  ルーフバルコニ
２，３２，４２  バルコニ床体
２Ａ，３２Ａ，４２Ａ  室内部
２Ｂ，３２Ｂ，４２Ｂ  突出部
４  根太
７  手摺り
１０  ユニット式建物
１５  小屋裏居室
１６  勾配屋根
１６Ａ  開口部
【図１】
0003961148.tif 000002
【図２】
0003961148.tif 000003
【図３】
0003961148.tif 000004
【図４】
0003961148.tif 000005
【図５】
0003961148.tif 000006
【図６】
0003961148.tif 000007
【図７】
0003961148.tif 000008
【図８】
0003961148.tif 000009
【図９】
0003961148.tif 000010
【図１０】
0003961148.tif 000011